(57)【要約】【課題】この発明は、簡易な構成で、ピット内の火災の初期消火を確実に行うことができるエレベータのピット用消火装置を得る。【解決手段】第１消火板１０がピット１内の一方の側壁に沿った第１退避位置と床面１ａに覆い被さる第１作動位置とをとるように配設され、第２消火板１３がピット１内の他方の側壁に沿った第１退避位置と第１作動位置にある第１消火板１０に覆い被さる第２作動位置とをとるように配設されている。第１消火板１０が第１ロック機構１６Ａにより第１退避位置に保持され、第２消火板１３が第２ロック機構１６Ｂにより第２退避位置に保持されている。そして、煙感知器２２或いは熱感知器２３の作動に連動して、第１ロック機構１６Ａによる保持が解除され、第１消火板１０が倒れて床面１ａに覆い被さり、その後第２ロック機構１６Ｂによる保持が解除され、第２消火板１３が倒れて第１消火板１０に覆い被さる。【選択図】図１
2005239401.tif 000002
【特許請求の範囲】
【請求項１】
ピット内の火災を感知する火災感知器と、
上記ピット内の側壁に沿った第１退避位置と該ピットの床面に覆い被さる第１作動位置とをとるように、下端を第１水平軸周りに回動自在に該ピットに取り付けられている第１消火板と、
上記第１消火板を上記第１退避位置に保持する第１ロック機構と、
上記火災感知器の火災感知動作に連動して、上記第１ロック機構による上記第１消火板の保持を解除させる駆動回路と
を備えたことを特徴とするエレベータのピット用消火装置。
【請求項２】
上記第１ロック機構は、上記第１退避位置に保持されている上記第１消火板を上記第１水平軸周りに上記第１作動位置側に回動させるように付勢する付勢手段を備えていることを特徴とする請求項１記載のエレベータのピット用消火装置。
【請求項３】
複数の穴が、上記第１消火板に穿設されていることを特徴とする請求項１又は請求項２記載のエレベータのピット用消火装置。
【請求項４】
上記ピット内の側壁に沿った第２退避位置と上記第１作動位置にある上記第１消火板に覆い被さる第２作動位置とをとるように、下端を第２水平軸周りに回動自在に該ピットに取り付けられている第２消火板と、
上記第２消火板を上記第２退避位置に保持する第２ロック機構と、を更に備え、
上記駆動回路が、上記火災感知器の火災感知動作に連動して、上記第１ロック機構による上記第１消火板の保持を解除させた後、所定時間経過後に上記第２ロック機構による上記第２消火板の保持を解除させるように構成されていることを特徴とする請求項１記載のエレベータのピット用消火装置。
【請求項５】
上記第１ロック機構は、上記第１退避位置に保持されている上記第１消火板を上記第１水平軸周りに上記第１作動位置側に回動させるように付勢する第１付勢手段を備え、
上記第２ロック機構は、上記第２退避位置に保持されている上記第２消火板を上記第２水平軸周りに上記第２作動位置側に回動させるように付勢する第２付勢手段を備えていることを特徴とする請求項４記載のエレベータのピット用消火装置。
【請求項６】
複数の穴が、上記第１および第２消火板が上記第１および第２作動位置にある時に、互いに重ならないように該第１および第２消火板に形成されていることを特徴とする請求項４又は請求項５記載のエレベータのピット用消火装置。
【発明の詳細な説明】
【技術分野】
【０００１】
この発明は、エレベータのピット用消火装置に関するものである。
【背景技術】
【０００２】
従来のエレベータのピット用消火装置は、消火剤を収容した容器と、この容器に取り付けられ、温度により動作する火災感知器と、容器に取り付けられて消火剤を噴出する噴出ノズルとを備えた消火装置をエレベータの乗りかごの下部に取り付けられて構成されている。そして、乗りかごの下部に取り付けられた火災感知器が熱を感知すると、容器内の消火剤が噴出ノズルから噴出し、ピット内の火災を消火するようになっている。（例えば、特許文献１参照。）
【０００３】
【特許文献１】特開平１１−２３６１７４号公報
【発明の開示】
【発明が解決しようとする課題】
【０００４】
従来のエレベータのピット用消火装置は、このように構成されているので、乗りかごがピットから離れた上位階に位置している場合には、火災感知器がピット内の火災による熱を感知することができない。そこで、ピット内の火災に気づいた人が、乗りかごを最下位階まで降ろしてやる必要があり、ピット内の火災の初期消火に十分対応できないという不具合がある。
【０００５】
この発明は、このような課題を解決するためになされたものであり、ピット内に火災感知器を設置し、この火災感知器の作動に連動してピット床面を覆うように動作する消火板をピッチ内に設置して、簡易な構成で、ピット内の火災の初期消火を確実に行うことができるエレベータのピット用消火装置を得ることを目的とする。
【課題を解決するための手段】
【０００６】
この発明によるエレベータのピット用消火装置は、ピット内の火災を感知する火災感知器と、上記ピット内の側壁に沿った第１退避位置と該ピットの床面に覆い被さる第１作動位置とをとるように、下端を第１水平軸周りに回動自在に該ピットに取り付けられている第１消火板と、上記第１消火板を上記第１退避位置に保持する第１ロック機構と、上記火災感知器の火災感知動作に連動して、上記第１ロック機構による上記第１消火板の保持を解除させる駆動回路とを備えたものである。
【発明の効果】
【０００７】
この発明によれば、簡易な構成で、ピット内の火災の初期消火を確実に行うことができるエレベータのピット用消火装置を実現できる。
【発明を実施するための最良の形態】
【０００８】
図１はこの発明の実施の形態に係るピット用消化装置が取り付けられたエレベータのピット内を示す斜視図、図２は図１をＡ方向から見たピット用消化装置の作動状態を示す側面図、図３はこの発明の実施の形態に係るピット用消化装置におけるロック機構の構造を説明する一部破断側面図、図４はこの発明の実施の形態に係るピット用消化装置における回路図である。
【０００９】
図１および図２において、第１バッファ取付台２が、昇降路のピット１の奥行き方向の中央部に、奥行き方向と直交するようにして、ピット１の床面１ａに取り付けられている。そして、かご用バッファ３がピット１の中央部に位置するように第１バッファ取付台２に取り付けられている。また、第２バッファ取付台４が、昇降路のピット１の奥行き方向の後側に、奥行き方向と直交するようにして、ピット１の床面１ａに取り付けられている。そして、つり合いおもり用バッファ５が第２バッファ取付台４に取り付けられている。
一対のかご用ガイドレール６が、奥行き方向と直交する方向の昇降路の両壁面の奥行き方向中央位置に、相対するようにして、上下方向に延設されている。また、図示していないが、つり合いおもり用ガイドレールが、昇降路の奥行き方向の後方壁面に、上下方向に延設されている。そして、乗りかご（図示せず）がかご用ガイドレール６に案内されて昇降自在に昇降路内に配設されている。また、つり合いおもり（図示せず）がつり合いおもり用ガイドレールに案内されて昇降自在に昇降路内に配設されている。そして、乗りかごやつり合いおもりが異常落下した際に、バッファ３、５にぶつかり、乗りかごやつり合いおもりの受ける衝撃が緩衝されるようになっている。
【００１０】
第１消火板１０は、鉄板や不燃材で平板状に作製され、穴１０ａが複数穿設されている。第１固定枠１１は、長手方向を奥行き方向として、奥行き方向と直交方向の昇降路の一方の壁面に沿うようにしてピット１の床面１ａに取り付けられている。そして、第１消火板１０は、蝶番１２により一端を奥行き方向とする軸（第１水平軸）周りに回動自在に第１固定枠１１に取り付けられ、昇降路の一方の壁面に沿った第１退避位置と、ピット１の床面１ａに覆い被さる第１作動位置とをとるように構成されている。ここで、第１消火板１０は、かご用ガイドレール６を挟んで奥行き方向に２枚設置されており、作動時には、かご用ガイドレール１およびバッファ取付台５、６を避けて、ピット１の床面１ａのほぼ全域を覆い被さるようになっている。
第２第１消火板１３は、鉄板や不燃材で平板状に作製され、穴１３ａが複数穿設されている。第２固定枠１４は、長手方向を奥行き方向として、奥行き方向と直交方向の昇降路の他方の壁面に沿うようにしてピット１の床面１ａに取り付けられている。そして、第２消火板１３は、蝶番１２により一端を奥行き方向とする軸（第２水平軸）周りに回動自在に第２固定枠１４に取り付けられ、昇降路の他方の壁面に沿った第２退避位置と、第１作動位置の第１消火板１０に覆い被さる第２作動位置とをとるように構成されている。ここで、第２消火板１３は、かご用ガイドレール６を挟んで奥行き方向に２枚設置されており、作動時には、かご用ガイドレール１およびバッファ取付台５、６を避けて、第１作動位置にある第１消火板１０のほぼ全域を覆い被さるようになっている。
【００１１】
ここで、第１消火板１０が第１作動位置に位置しているときに、第１消火板１０が床面１ａにほぼ接するように第１固定枠１１の高さが設定されている。また、第２消火板１３が第２作動位置に位置しているときに、第２消火板１３が第１作動位置の第１消火板１０にほぼ接するように第２固定枠１４の高さが設定されている。
【００１２】
第１ロック機構１６Ａは、図３に示されるように、第１退避位置の第１消火板１０の他端近傍に位置するように昇降路の一方の壁面に取り付けられた受け部１７と、奥行き方向と直交する方向に伸縮自在に受け部１７に取り付けられたロッド１８と、ロッド１８を伸長する方向に付勢するスプリング１９と、上下方向に伸縮自在に受け部１７に取り付けられ、伸長して第１消火板１０の他端に係合し、第１消火板１０を第１退避位置に保持するプランジャ２０と、プランジャ２０の延出量（伸長量）を縮小させるように作動させて、プランジャ２０の第１消火板１０の係止を解除する吸引型ソレノイド２１とを備えている。
第２ロック機構１６Ｂは、同様に、第２退避位置の第２消火板１３の他端近傍に位置するように昇降路の他方の壁面に取り付けられた受け部１７と、奥行き方向と直交する方向に伸縮自在に受け部１７に取り付けられたロッド１８と、ロッド１８を伸長する方向に付勢するスプリング１９と、上下方向に伸縮自在に受け部１７に取り付けられ、伸長して第２消火板１３の他端に係合し、第２消火板１３を第２退避位置に保持するプランジャ２０と、プランジャ２０の延出量を縮小させるように作動させて、プランジャ２０の第２消火板１３の係止を解除する吸引型ソレノイド２１とを備えている。
そして、火災感知器としての煙感知器２２がピット１の上部に近接して昇降路側壁から離れて設置されている。また、火災感知器としての熱感知器２３が第１バッファ取付台２に設置されている。
なお、ロッド１８およびスプリング１９が、第１および第２退避位置の第１および第２消火板１０、１３を第１および第２作動位置側に回動させる方向に付勢する第１および第２付勢手段を構成している。また、吸引型ソレノイド２１は、図４に示される駆動回路によって駆動される。
【００１３】
つぎに、このように構成されたピット用消化装置の動作について図４に示される駆動回路に基づいて説明する。なお、図４において、ソレノイドＳＯ１は第１ロック機構１６Ａのソレノイド２１に相当し、ソレノイドＳＯ２は第２ロック機構１６Ｂのソレノイド２１に相当する。また、スイッチＳＷ１、ＳＷ２はソレノイドＳＯ１、ＳＯ２を単独で動作させる切り換えスイッチである。
まず、スイッチＳＷ１、ＳＷ２を切り換え、ソレノイドＳＯ１、ＳＯ２を作動させる。これにより、第１および第２ロック機構１６Ａ、１６Ｂのプランジャ２０の延出量が縮小される。そこで、第１および第２消火板１０、１３を蝶番１２周りに回動させて起立させる。そして、第１および第２消火板１０、１３によりスプリング１９が収縮するようにロッド１８を押しつつ、スイッチＳＷ１、ＳＷ２を切り換えてソレノイドＳＯ１、ＳＯ２の作動を停止させ、プランジャ２０を延出させる。その後、第１および第２消火板１０、１３の押し付けを止めると、スプリング１９の付勢力によりロッド１８が延出され、第１および第２消火板１０、１３がプランジャ２０に係止される。これにより、第１および第２消火板１０、１３の第１および第２作動位置側への回動が阻止され、それぞれ第１および第２退避位置にセットされる。
【００１４】
ここで、例えば、タバコ９がピット１内に投げ捨てられ、ピット１の床面１ａにつもった塵に燃え移ったとする。そして、煙感知器２２が煙を感知するか、熱感知器２３が熱を感知すると、トランジスタＴｒ１がＯＮとなり、ソレノイドＳＯ１が作動される。これにより、第１ロック機構１６Ａのプランジャ２０の延出量が縮小され、プランジャ２０による第１消火板１０の係止が解除される。そこで、ロッド１８がスプリング１９の付勢力により伸長され、第１消火板１０が蝶番周りに回動し、第１消火板１０が倒れてピット１の床面１ａを覆う第１作動位置となる。これにより、第１消火板１０がタバコ９や燃えている塵に覆い被さり、空気の補充を抑え、温度を下げ、消火される。
そして、トランジスタＴｒ１がＯＮすると、トランジスタＴｒ２がＯＮからＯＦＦとなり、コンデンサＣの端子電圧が上昇する。設定時間（例えば、数秒）後、コンデンサＣの端子電圧がゼナーダイオードＤＺの動作電圧まで上昇すると、トランジスタＴｒ３がＯＮとなり、ソレノイドＳＯ２が作動される。これにより、第２ロック機構１６Ｂのプランジャ２０の延出量が縮小され、プランジャ２０による第２消火板１３の係止が解除される。そこで、ロッド１８がスプリング１９の付勢力により伸長され、第２消火板１３が蝶番周りに回動し、第２消火板１３が倒れて第１消火板１０を覆う第２作動位置となる。これにより、第２消火板１３が第１消火板１０に覆い被さり、空気の補充を抑え、第１消火板１０の上で消し損ねて燃えているものを消火する。
【００１５】
このように、このピット用消化装置においては、第１消火板１０が、煙感知器２２あるいは熱感知器２３の作動に連動して、起立状態の第１退避位置から床面１ａに覆い被さる第１作動位置に倒れるように構成されているので、第１消火板１０が床面１ａ上で燃えている物体上に倒れ込み、燃えている物体への空気の補充が抑えられ、消火される。そこで、消火剤や水を用いることなく、簡単な構成で床面１ａ上の火災を初期的に鎮火することができる。
さらに、第２消火板１３が、第１消火板１０の床面１ａへの倒れ込みに所定時間遅れて第１消火板１０上への倒れ込みを行うように構成されているので、第２消火板１３の倒れ込みにより、第１消火板１０で鎮火しきれず燃えている物体への空気の補充が抑えられ、床面１ａ上の火災の初期的消火を確実に行うことができる。
また、複数の穴１０ａ、１３ａが第１および第２消火板１０、１３に穿設されているので、第１および第２消火板１０、１３の倒れ込みの際に、風圧により燃えている物体を吹き散らすことが抑制される。
さらに、穴１３ａが、第２消火板１３が第１消火板１０に覆い被さった状態で、穴１０ａに重ならないように第２消火板１３に形成されているので、第２消火板１３が被さった第１消火板１０の穴１０ａ内で燃えている物体への空気の補充が抑えられる。
【００１６】
また、ロッド１８を介して第１および第２消火板１０、１３を第１および第２作動位置に倒れる方向に付勢するスプリング１９が第１および第２ロック機構１６Ａ、１６Ｂに配設されているので、プランジャ１０による第１および第２消火板１０、１３の係止を解除した際に、第１および第２消火板１０、１３を確実に第１および第２作動位置側に回動させることができる。
また、煙感知器２２がピット１の上部に近接して、気流の流れの遅い昇降路側壁から離れて設置されているので、ピット１内の火災により発生した煙を速やかに検知することができ、火災の初期消火の点で効果がある。
また、煙感知器２２および熱感知器２３を用いてピッチ１内の火災を検知するように構成しているので、ピット１内の火災を速やかに検知することができ、火災の初期消火の点で効果がある。
【００１７】
なお、上記実施の形態では、第１および第２消火板１０、１３を備えているものとして説明しているが、第２消火板１３を省略し、第１消火板１０のみを備えるようにしてもよい。
また、上記実施の形態では、第１および第２消火板１０、１３の下端を蝶番１２を介して回動自在に支持する第１および第２固定枠１１、１４が床面１ａに取り付けられているものとしているが、第１および第２固定枠１１、１４はピット１の壁面下端に取り付けられて入れもよい。
また、上記実施の形態では、第１および第２消火板１０、１３がピット１の相対する壁面に沿って配設されるものとしているが、第１および第２消火板１０、１３は、ピット１の同じ壁面に沿って配設されてもよいし、ピット１の直交する隣り合う壁面に沿って配設されてもよい。
また、上記実施の形態では、第１および第２消火板１０、１３がそれぞれ２枚ずつ配設されるものとして説明しているが、第１および第２消火板１０、１３の枚数は２枚に限定されるものではなく、床面１ａ上のバッファなどの障害物の配置を考慮して適宜設定すればよい。
【００１８】
また、上記実施の形態では、煙感知器２２および熱感知器２３の２つの火災感知器を設置するものとしているが、必ずしも２つの火災感知器を設置する必要はなく、１つの火災感知器を設置するようにしてもよい。
また、上記実施の形態では、火災感知器として煙感知器および熱感知器を用いるものとしているが、火災感知器は煙感知器および熱感知器に限定されるものではなく、例えばＣＯ感知器、輝度感知器などを用いてもよい。
【図面の簡単な説明】
【００１９】
【図１】この発明の実施の形態に係るピット用消化装置が取り付けられたエレベータのピット内を示す斜視図である。
【図２】図１をＡ方向から見たピット用消化装置の作動状態を示す側面図である。
【図３】この発明の実施の形態に係るピット用消化装置におけるロック機構の構造を説明する一部破断側面図である。
【図４】この発明の実施の形態に係るピット用消化装置における回路図である。
【符号の説明】
【００２０】
１  ピット、１ａ  床面、１０  第１消火板、１０ａ  穴、１２  蝶番、１３  第２消火板、１３ａ  穴、１６Ａ  第１ロック機構、１６Ｂ  第２ロック機構、１８  ロッド（付勢手段）、１９  スプリング（付勢手段）、２０  プランジャ、２１  吸引型ソレノイド、２２  熱感知器（火災感知器）。
【図１】
2005239401.tif 000003
【図２】
2005239401.tif 000004
【図３】
2005239401.tif 000005
【図４】
2005239401.tif 000006
【手続補正書】
【提出日】平成16年3月1日(2004.3.1)
【手続補正１】
【補正対象書類名】明細書
【補正対象項目名】全文
【補正方法】変更
【補正の内容】
【発明の詳細な説明】
【技術分野】
【０００１】
この発明は、エレベータのピット用消火装置に関するものである。
【背景技術】
【０００２】
従来のエレベータのピット用消火装置は、消火剤を収容した容器と、この容器に取り付けられ、温度により動作する火災感知器と、容器に取り付けられて消火剤を噴出する噴出ノズルとを備えた消火装置をエレベータの乗りかごの下部に取り付けられて構成されている。そして、乗りかごの下部に取り付けられた火災感知器が熱を感知すると、容器内の消火剤が噴出ノズルから噴出し、ピット内の火災を消火するようになっている。（例えば、特許文献１参照。）
【０００３】
【特許文献１】特開平１１−２３６１７４号公報
【発明の開示】
【発明が解決しようとする課題】
【０００４】
従来のエレベータのピット用消火装置は、このように構成されているので、乗りかごがピットから離れた上位階に位置している場合には、火災感知器がピット内の火災による熱を感知することができない。そこで、ピット内の火災に気づいた人が、乗りかごを最下位階まで降ろしてやる必要があり、ピット内の火災の初期消火に十分対応できないという不具合がある。
【０００５】
この発明は、このような課題を解決するためになされたものであり、ピット内に火災感知器を設置し、この火災感知器の作動に連動してピット床面を覆うように動作する消火板をピッチ内に設置して、簡易な構成で、ピット内の火災の初期消火を確実に行うことができるエレベータのピット用消火装置を得ることを目的とする。
【課題を解決するための手段】
【０００６】
この発明によるエレベータのピット用消火装置は、ピット内の火災を感知する火災感知器と、上記ピット内の側壁に沿った第１退避位置と該ピットの床面に覆い被さる第１作動位置とをとるように、下端を第１水平軸周りに回動自在に該ピットに取り付けられている第１消火板と、上記第１消火板を上記第１退避位置に保持する第１ロック機構と、上記火災感知器の火災感知動作に連動して、上記第１ロック機構による上記第１消火板の保持を解除させる駆動回路とを備えたものである。
【発明の効果】
【０００７】
この発明によれば、簡易な構成で、ピット内の火災の初期消火を確実に行うことができるエレベータのピット用消火装置を実現できる。
【発明を実施するための最良の形態】
【０００８】
図１はこの発明の実施の形態に係るピット用消火装置が取り付けられたエレベータのピット内を示す斜視図、図２は図１をＡ方向から見たピット用消火装置の作動状態を示す側面図、図３はこの発明の実施の形態に係るピット用消火装置におけるロック機構の構造を説明する一部破断側面図、図４はこの発明の実施の形態に係るピット用消火装置における回路図である。
【０００９】
図１および図２において、第１バッファ取付台２が、昇降路のピット１の奥行き方向の中央部に、奥行き方向と直交するようにして、ピット１の床面１ａに取り付けられている。そして、かご用バッファ３がピット１の中央部に位置するように第１バッファ取付台２に取り付けられている。また、第２バッファ取付台４が、昇降路のピット１の奥行き方向の後側に、奥行き方向と直交するようにして、ピット１の床面１ａに取り付けられている。そして、つり合いおもり用バッファ５が第２バッファ取付台４に取り付けられている。
一対のかご用ガイドレール６が、奥行き方向と直交する方向の昇降路の両壁面の奥行き方向中央位置に、相対するようにして、上下方向に延設されている。また、図示していないが、つり合いおもり用ガイドレールが、昇降路の奥行き方向の後方壁面に、上下方向に延設されている。そして、乗りかご（図示せず）がかご用ガイドレール６に案内されて昇降自在に昇降路内に配設されている。また、つり合いおもり（図示せず）がつり合いおもり用ガイドレールに案内されて昇降自在に昇降路内に配設されている。そして、乗りかごやつり合いおもりが異常落下した際に、バッファ３、５にぶつかり、乗りかごやつり合いおもりの受ける衝撃が緩衝されるようになっている。
【００１０】
第１消火板１０は、鉄板や不燃材で平板状に作製され、穴１０ａが複数穿設されている。第１固定枠１１は、長手方向を奥行き方向として、奥行き方向と直交方向の昇降路の一方の壁面に沿うようにしてピット１の床面１ａに取り付けられている。そして、第１消火板１０は、蝶番１２により一端を奥行き方向とする軸（第１水平軸）周りに回動自在に第１固定枠１１に取り付けられ、昇降路の一方の壁面に沿った第１退避位置と、ピット１の床面１ａに覆い被さる第１作動位置とをとるように構成されている。ここで、第１消火板１０は、かご用ガイドレール６を挟んで奥行き方向に２枚設置されており、作動時には、かご用ガイドレール１およびバッファ取付台５、６を避けて、ピット１の床面１ａのほぼ全域を覆い被さるようになっている。
第２第１消火板１３は、鉄板や不燃材で平板状に作製され、穴１３ａが複数穿設されている。第２固定枠１４は、長手方向を奥行き方向として、奥行き方向と直交方向の昇降路の他方の壁面に沿うようにしてピット１の床面１ａに取り付けられている。そして、第２消火板１３は、蝶番１２により一端を奥行き方向とする軸（第２水平軸）周りに回動自在に第２固定枠１４に取り付けられ、昇降路の他方の壁面に沿った第２退避位置と、第１作動位置の第１消火板１０に覆い被さる第２作動位置とをとるように構成されている。ここで、第２消火板１３は、かご用ガイドレール６を挟んで奥行き方向に２枚設置されており、作動時には、かご用ガイドレール１およびバッファ取付台５、６を避けて、第１作動位置にある第１消火板１０のほぼ全域を覆い被さるようになっている。
【００１１】
ここで、第１消火板１０が第１作動位置に位置しているときに、第１消火板１０が床面１ａにほぼ接するように第１固定枠１１の高さが設定されている。また、第２消火板１３が第２作動位置に位置しているときに、第２消火板１３が第１作動位置の第１消火板１０にほぼ接するように第２固定枠１４の高さが設定されている。
【００１２】
第１ロック機構１６Ａは、図３に示されるように、第１退避位置の第１消火板１０の他端近傍に位置するように昇降路の一方の壁面に取り付けられた受け部１７と、奥行き方向と直交する方向に伸縮自在に受け部１７に取り付けられたロッド１８と、ロッド１８を伸長する方向に付勢するスプリング１９と、上下方向に伸縮自在に受け部１７に取り付けられ、伸長して第１消火板１０の他端に係合し、第１消火板１０を第１退避位置に保持するプランジャ２０と、プランジャ２０の延出量（伸長量）を縮小させるように作動させて、プランジャ２０の第１消火板１０の係止を解除する吸引型ソレノイド２１とを備えている。
第２ロック機構１６Ｂは、同様に、第２退避位置の第２消火板１３の他端近傍に位置するように昇降路の他方の壁面に取り付けられた受け部１７と、奥行き方向と直交する方向に伸縮自在に受け部１７に取り付けられたロッド１８と、ロッド１８を伸長する方向に付勢するスプリング１９と、上下方向に伸縮自在に受け部１７に取り付けられ、伸長して第２消火板１３の他端に係合し、第２消火板１３を第２退避位置に保持するプランジャ２０と、プランジャ２０の延出量を縮小させるように作動させて、プランジャ２０の第２消火板１３の係止を解除する吸引型ソレノイド２１とを備えている。
そして、火災感知器としての煙感知器２２がピット１の上部に近接して昇降路側壁から離れて設置されている。また、火災感知器としての熱感知器２３が第１バッファ取付台２に設置されている。
なお、ロッド１８およびスプリング１９が、第１および第２退避位置の第１および第２消火板１０、１３を第１および第２作動位置側に回動させる方向に付勢する第１および第２付勢手段を構成している。また、吸引型ソレノイド２１は、図４に示される駆動回路によって駆動される。
【００１３】
つぎに、このように構成されたピット用消火装置の動作について図４に示される駆動回路に基づいて説明する。なお、図４において、ソレノイドＳＯ１は第１ロック機構１６Ａのソレノイド２１に相当し、ソレノイドＳＯ２は第２ロック機構１６Ｂのソレノイド２１に相当する。また、スイッチＳＷ１、ＳＷ２はソレノイドＳＯ１、ＳＯ２を単独で動作させる切り換えスイッチである。
まず、スイッチＳＷ１、ＳＷ２を切り換え、ソレノイドＳＯ１、ＳＯ２を作動させる。これにより、第１および第２ロック機構１６Ａ、１６Ｂのプランジャ２０の延出量が縮小される。そこで、第１および第２消火板１０、１３を蝶番１２周りに回動させて起立させる。そして、第１および第２消火板１０、１３によりスプリング１９が収縮するようにロッド１８を押しつつ、スイッチＳＷ１、ＳＷ２を切り換えてソレノイドＳＯ１、ＳＯ２の作動を停止させ、プランジャ２０を延出させる。その後、第１および第２消火板１０、１３の押し付けを止めると、スプリング１９の付勢力によりロッド１８が延出され、第１および第２消火板１０、１３がプランジャ２０に係止される。これにより、第１および第２消火板１０、１３の第１および第２作動位置側への回動が阻止され、それぞれ第１および第２退避位置にセットされる。
【００１４】
ここで、例えば、タバコ９がピット１内に投げ捨てられ、ピット１の床面１ａにつもった塵に燃え移ったとする。そして、煙感知器２２が煙を感知するか、熱感知器２３が熱を感知すると、トランジスタＴｒ１がＯＮとなり、ソレノイドＳＯ１が作動される。これにより、第１ロック機構１６Ａのプランジャ２０の延出量が縮小され、プランジャ２０による第１消火板１０の係止が解除される。そこで、ロッド１８がスプリング１９の付勢力により伸長され、第１消火板１０が蝶番周りに回動し、第１消火板１０が倒れてピット１の床面１ａを覆う第１作動位置となる。これにより、第１消火板１０がタバコ９や燃えている塵に覆い被さり、空気の補充を抑え、温度を下げ、消火される。
そして、トランジスタＴｒ１がＯＮすると、トランジスタＴｒ２がＯＮからＯＦＦとなり、コンデンサＣの端子電圧が上昇する。設定時間（例えば、数秒）後、コンデンサＣの端子電圧がゼナーダイオードＤＺの動作電圧まで上昇すると、トランジスタＴｒ３がＯＮとなり、ソレノイドＳＯ２が作動される。これにより、第２ロック機構１６Ｂのプランジャ２０の延出量が縮小され、プランジャ２０による第２消火板１３の係止が解除される。そこで、ロッド１８がスプリング１９の付勢力により伸長され、第２消火板１３が蝶番周りに回動し、第２消火板１３が倒れて第１消火板１０を覆う第２作動位置となる。これにより、第２消火板１３が第１消火板１０に覆い被さり、空気の補充を抑え、第１消火板１０の上で消し損ねて燃えているものを消火する。
【００１５】
このように、このピット用消火装置においては、第１消火板１０が、煙感知器２２あるいは熱感知器２３の作動に連動して、起立状態の第１退避位置から床面１ａに覆い被さる第１作動位置に倒れるように構成されているので、第１消火板１０が床面１ａ上で燃えている物体上に倒れ込み、燃えている物体への空気の補充が抑えられ、消火される。そこで、消火剤や水を用いることなく、簡単な構成で床面１ａ上の火災を初期的に鎮火することができる。
さらに、第２消火板１３が、第１消火板１０の床面１ａへの倒れ込みに所定時間遅れて第１消火板１０上への倒れ込みを行うように構成されているので、第２消火板１３の倒れ込みにより、第１消火板１０で鎮火しきれず燃えている物体への空気の補充が抑えられ、床面１ａ上の火災の初期的消火を確実に行うことができる。
また、複数の穴１０ａ、１３ａが第１および第２消火板１０、１３に穿設されているので、第１および第２消火板１０、１３の倒れ込みの際に、風圧により燃えている物体を吹き散らすことが抑制される。
さらに、穴１３ａが、第２消火板１３が第１消火板１０に覆い被さった状態で、穴１０ａに重ならないように第２消火板１３に形成されているので、第２消火板１３が被さった第１消火板１０の穴１０ａ内で燃えている物体への空気の補充が抑えられる。
【００１６】
また、ロッド１８を介して第１および第２消火板１０、１３を第１および第２作動位置に倒れる方向に付勢するスプリング１９が第１および第２ロック機構１６Ａ、１６Ｂに配設されているので、プランジャ１０による第１および第２消火板１０、１３の係止を解除した際に、第１および第２消火板１０、１３を確実に第１および第２作動位置側に回動させることができる。
また、煙感知器２２がピット１の上部に近接して、気流の流れの遅い昇降路側壁から離れて設置されているので、ピット１内の火災により発生した煙を速やかに検知することができ、火災の初期消火の点で効果がある。
また、煙感知器２２および熱感知器２３を用いてピッチ１内の火災を検知するように構成しているので、ピット１内の火災を速やかに検知することができ、火災の初期消火の点で効果がある。
【００１７】
なお、上記実施の形態では、第１および第２消火板１０、１３を備えているものとして説明しているが、第２消火板１３を省略し、第１消火板１０のみを備えるようにしてもよい。
また、上記実施の形態では、第１および第２消火板１０、１３の下端を蝶番１２を介して回動自在に支持する第１および第２固定枠１１、１４が床面１ａに取り付けられているものとしているが、第１および第２固定枠１１、１４はピット１の壁面下端に取り付けられて入れもよい。
また、上記実施の形態では、第１および第２消火板１０、１３がピット１の相対する壁面に沿って配設されるものとしているが、第１および第２消火板１０、１３は、ピット１の同じ壁面に沿って配設されてもよいし、ピット１の直交する隣り合う壁面に沿って配設されてもよい。
また、上記実施の形態では、第１および第２消火板１０、１３がそれぞれ２枚ずつ配設されるものとして説明しているが、第１および第２消火板１０、１３の枚数は２枚に限定されるものではなく、床面１ａ上のバッファなどの障害物の配置を考慮して適宜設定すればよい。
【００１８】
また、上記実施の形態では、煙感知器２２および熱感知器２３の２つの火災感知器を設置するものとしているが、必ずしも２つの火災感知器を設置する必要はなく、１つの火災感知器を設置するようにしてもよい。
また、上記実施の形態では、火災感知器として煙感知器および熱感知器を用いるものとしているが、火災感知器は煙感知器および熱感知器に限定されるものではなく、例えばＣＯ感知器、輝度感知器などを用いてもよい。
【図面の簡単な説明】
【００１９】
【図１】この発明の実施の形態に係るピット用消火装置が取り付けられたエレベータのピット内を示す斜視図である。
【図２】図１をＡ方向から見たピット用消火装置の作動状態を示す側面図である。
【図３】この発明の実施の形態に係るピット用消火装置におけるロック機構の構造を説明する一部破断側面図である。
【図４】この発明の実施の形態に係るピット用消火装置における回路図である。
【符号の説明】
【００２０】
１  ピット、１ａ  床面、１０  第１消火板、１０ａ  穴、１２  蝶番、１３  第２消火板、１３ａ  穴、１６Ａ  第１ロック機構、１６Ｂ  第２ロック機構、１８  ロッド（付勢手段）、１９  スプリング（付勢手段）、２０  プランジャ、２１  吸引型ソレノイド、２２  熱感知器（火災感知器）。